(57)【要約】【課題】折畳み方向に付勢されることによって軽微な力で円滑に折畳みしうる一方、水平状態に展開したときには折畳み方向への変形を防ぐ。【解決手段】寝具２Ａを載置する第１の載置枠３Ａの一端側に第１の支脚部４Ａを設けた第１のベッド枠体５Ａ、寝具２Ｂを載置する第２の載置枠３Ｂの一端側に第２の支脚部４Ｂを設けた第２のベッド枠体５Ｂ、前記第１の載置枠３Ａと第２の載置枠３Ｂとの向き合う他端を、第１、第２の載置枠３Ａ、３Ｂが水平に展開される展開状態と、逆Ｖ字状の垂直状態との間で折り畳み展開可能に継ぐ継ぎ部材８、及び第１のベッド枠体５Ａと第２のベッド枠体５Ｂとを垂直状態へ付勢する引き起こし手段９を含む折畳みベッド１である。第１の載置枠３Ａと第２の載置枠３Ｂとを展開状態に展開することにより作動して該展開状態を保持させる係止具１０を設ける。【選択図】　図１
2004049640.tif 000002
【特許請求の範囲】
【請求項１】
寝具を載置する第１の載置枠の一端側に第１の支脚部を設けた第１のベッド枠体、
寝具を載置する第２の載置枠の一端側に第２の支脚部を設けた第２のベッド枠体、
前記第１の載置枠と第２の載置枠との向き合う他端を、該第１、第２の載置枠が水平に展開される展開状態と、第１、２の支脚部が近づき前記第１、第２の載置枠を逆Ｖ字状に折り畳んだ垂直状態との間で折り畳み展開可能に継ぐ継ぎ部材、及び
前記第１のベッド枠体と第２のベッド枠体とを前記垂直状態へ付勢する引き起こし手段を含む折畳みベッドであって、
前記第１の載置枠と第２の載置枠とを前記展開状態に展開することにより作動して該展開状態を保持する係止具を設けたことを特徴とする折畳みベッド。
【請求項２】
前記係止具は、前記第１の載置枠と第２の載置枠とを前記垂直状態に折り畳むことにより作動して該垂直状態を保持することを特徴とする請求項１記載の折畳みベッド。
【請求項３】
前記継ぎ部材は、前記展開状態において、ベッドの略中間位置で接地する中間支脚部を一体に具えるとともに、
前記第１のベッド枠又は第２のベッド枠の少なくとも一方には、その一方側の支脚部と、その一方側の載置枠と、前記中間支脚部とともに平行クランク機構を形成するリンク片を、前記一方の支持脚と前記中間支脚部との間で連結したことを特徴とする請求項１又は２に記載の折畳みベッド。
【請求項４】
前記係止具は、前記平行クランク機構を構成する一つの対偶を傾動不能に拘束することを特徴とする請求項３記載の折畳みベッド。
【請求項５】
前記係止具は、前記中間支脚部に設けられかつ前記リンク片側に向かって付勢された係止ピンと、前記リンク片に設けられかつ前記展開状態で前記係止ピンが嵌入する第１の孔部とを含むことにより、前記中間支脚部と前記リンク片とを傾動不能に拘束することを特徴とする請求項３又は４記載の折畳みベッド。
【請求項６】
前記リンク片は、前記垂直状態で前記係止ピンが嵌入する第２の孔部を含むことを特徴とする請求項５記載の折畳みベッド。
【請求項７】
前記係止ピンは、前記第１の孔部からの引き抜きにより前記展開状態の保持を解除することを特徴とする請求項５ないし６のいずれかに記載の折畳みベッド。
【発明の詳細な説明】
【０００１】
【発明の属する技術分野】
本発明は、折畳む方向に付勢されることによって軽微な力で円滑に折畳みしうる一方、水平に展開したときには折畳み方向への変形を確実に防ぐことにより使い勝手を高めうる折畳みベッドに関する。
【０００２】
【従来の技術】
図２２には、従来の折畳みベッドａの展開状態の一例を示す。該折畳みベッドａは、第１のベッド枠ｂ１と、第２のベッド枠ｂ２との向き合う他端側を、中間支脚部ｆを具備する継ぎ部材ｅにより回動自在に連結して構成されている。前記第１のベッド枠体ｂ１は、一方の寝具の半体（本例ではマット半体）ｍ１を載置しうる第１の載置枠ｃ１と、この第２の載置枠ｃ１の一端側に設けられた第１の支脚部ｄ１とを含む。同様に、第２のベッド枠体ｂ２は、他方の寝具の半体（本例ではマット半体）ｍ２を載置しうる第２の載置枠ｃ２と、この第２の載置枠ｃ２の一端側に設けられた第２の支脚部ｄ２とを含むものが例示される。
【０００３】
この形態のベッドａでは、第１のベッド枠体ｂ１では、第１の載置枠ｃ１と第１の支脚部ｄ１とが一体に固着される一方、第２のベッド枠体ｂ２では、第２の載置枠ｃ２と第２の支脚部ｄ２とが傾動可能に枢着されている。また本例では各支脚部ｄ１、ｄ２は車輪ｋを具えた移動脚であり、第１、第２の支脚部ｄ１、ｄ２を近づける向きに折り畳むことによって、図２２の仮想線及び図２３に示すように折畳みベッドａは逆Ｖ字状に垂直状態まで折り畳みできる。
【０００４】
また、折畳みベッドａは重量体であるために、ベッドの重量により常にベッドを水平に展開する力が作用する。このため、展開状態から逆Ｖ字状の垂直状態まで持ち上げる折畳み時には大きな力を必要とし、高齢者といった弱力者には折畳み作業に困難を伴う。このような観点より、従来、図２２に略示するように、展開状態において、例えば前記中間支脚部ｆの下端側と、第１、２の載置枠ｃ１、ｃ２の前記一端側との間に、引張バネなどの引張部材ｗをそれぞれ介材させることにより、第１、第２のベッド枠体ｄ１，ｄ２を常時、垂直状態に付勢する引き起こし手段ｇが設けられている。
【０００５】
前記引き起こし手段ｇは、ヘッドａを垂直状態に折り畳み際には操作力を軽減するのに役立つ。しかし、このようなベッドａでは、水平状態に展開した場合でも、常時、引き起こし手段ｇによって、第１の載置枠ｃ１と第２の載置枠ｃ２とは折り畳み方向に付勢されているため、ヘッドａの端部に腰掛けたときの偏荷重や、継ぎ部材ｅ周辺を上向きに持ち上げる外力が作用すると、ベッドが不意に折畳み方向に変形するおそれがある。このため、従来では、例えば第２のベッド枠ｂ２において、前記第２の支脚部ｄ２と、第２のベッド載置枠ｃ２との傾動を阻止するロックピンｊなどが用いられている。
【０００６】
該ロックピンｊは、図２４に示す水平状態では、第２の支脚部ｄ２と第２の載置枠ｃ２とを枢着する枢支ピンＰｓから側方に偏位した位置において、該第２の支脚部ｄ２に設けた孔部ｈａと、第２の載置枠ｃ２に設けた第１の孔部ｈｂとを貫通して差し込まれ保持される。これにより、第２の載置枠ｃ２と第２の支脚部ｄ２とのピンＰｓ回りの傾動が阻止され、ベッドの展開状態が保持できる。また、折畳み状態の位置を拘束するために、前記ロックピンｊは、図２５に示すように、該第２の支脚部ｄ２に設けた孔部ｈａと、第１の載置枠ｃ１に設けた第２の孔部ｈｃとを貫通するように差し込まれる。これにより、第１の載置枠ｃ１が第２の支脚部ｄ２から離間するのを阻止でき、ベッドの折畳み状態が保持できる。
【０００７】
【発明が解決しようとする課題】
しかしながら、上述のようなロックピンｊは、操作の都度、人手によって抜き差しを行わねばならない。とりわけ、折畳んだ垂直状態から水平な展開状態に展開した後には、ロックピンｊを第２の載置枠ｃ２に差し込むのを忘れがちとなり、不意にベッドが変形するなど実効性に劣るという問題がある。
【０００８】
本発明は、以上のような問題点に鑑み案出なされたもので、折畳み可能な第１の載置枠と第２の載置枠とを展開状態に展開することにより作動して該展開状態を保持する係止具を設けることを基本として、水平状態に展開したときには折畳み方向への変形を確実に防ぐことにより使い勝手を高めうる折畳みベッドを提供することを目的としている。
【０００９】
【課題を解決するための手段】
本発明のうち請求項１記載の発明は、寝具を載置する第１の載置枠の一端側に第１の支脚部を設けた第１のベッド枠体、寝具を載置する第２の載置枠の一端側に第２の支脚部を設けた第２のベッド枠体、前記第１の載置枠と第２の載置枠との向き合う他端を、該第１、第２の載置枠が水平に展開される展開状態と、第１、２の支脚部が近づき前記第１、第２の載置枠を逆Ｖ字状に折り畳んだ垂直状態との間で折り畳み展開可能に継ぐ継ぎ部材、及び前記第１のベッド枠体と第２のベッド枠体とを前記垂直状態へ付勢する引き起こし手段を含む折畳みベッドであって、前記第１の載置枠と第２の載置枠とを前記展開状態に展開することにより作動して該展開状態を保持する係止具を設けたことを特徴としている。
【００１０】
また請求項２記載の発明は、前記係止具は、前記第１の載置枠と第２の載置枠とを前記垂直状態に折り畳むことにより作動して該垂直状態を保持することを特徴とする請求項１記載の折畳みベッドである。
【００１１】
また請求項３記載の発明は、前記継ぎ部材は、前記展開状態において、ベッドの略中間位置で接地する中間支脚部を一体に具えるとともに、前記第１のベッド枠又は第２のベッド枠の少なくとも一方には、その一方側の支脚部と、その一方側の載置枠と、前記中間支脚部とともに平行クランク機構を形成するリンク片を、前記一方の支持脚と前記中間支脚部との間で連結したことを特徴とする請求項１又は２に記載の折畳みベッドである。
【００１２】
また請求項４記載の発明は、前記係止具は、前記平行クランク機構を構成する一つの対偶を傾動不能に拘束することを特徴とする請求項３記載の折畳みベッドである。
【００１３】
また請求項５記載の発明は、前記係止具は、前記中間支脚部に設けられかつ前記リンク片側に向かって付勢された係止ピンと、前記リンク片に設けられかつ前記展開状態で前記係止ピンが嵌入する第１の孔部とを含むことにより、前記中間支脚部と前記リンク片とを傾動不能に拘束することを特徴とする請求項３又は４記載の折畳みベッドである。
【００１４】
また請求項６記載の発明は、前記リンク片は、前記垂直状態で前記係止ピンが嵌入する第２の孔部を含むことを特徴とする請求項５記載の折畳みベッドである。
【００１５】
また請求項７記載の発明は、前記係止ピンは、前記第１の孔部からの引き抜きにより前記展開状態の保持を解除することを特徴とする請求項５ないし６のいずれかに記載の折畳みベッドである。
【００１６】
【発明の実施の形態】
以下本発明の実施の一形態を図面に基づき説明する。
図１は本実施形態の折畳みベッド（以下、単に「ベッド」ということがある。）１の全体斜視図、図２は寝具を取り除いた状態での平面図、図３は側面図をそれぞれ示している。
【００１７】
図において、本実施形態のベッド１は、第１の載置枠３Ａの一端Ｓ１側に第１の支脚部４Ａを設けた第１のベッド枠体５Ａ、第２の載置枠３Ｂの一端Ｓ１側に第２の支脚部４Ｂを設ける第２のベッド枠体５Ｂ、第１の載置枠３Ａと第２の載置枠３Ｂとの向き合う他端Ｓ２、Ｓ２を、該第１、第２の載置枠３Ａ、３Ｂが水平に展開される展開状態と、第１、２の支脚部４Ａ、４Ｂが近づき前記第１、第２の載置枠３Ａ、３Ｂが逆Ｖ字状に折り畳まれる垂直状態との間で折り畳み展開可能に継ぐ継ぎ部材８、及び前記第１のベッド枠体５Ａと第２のベッド枠体５Ｂとを前記垂直状態へ付勢する引き起こし手段９を含むとともに、第１の載置枠３Ａと第２の載置枠３Ｂとを展開状態に展開することにより作動して該展開状態を保持する係止具１０を設けたことを特徴としている。以下、順に説明する。なお「第１」、「第２」と区別するときにはＡ，Ｂを数字末尾に付し、区別する必要のないときは数字末尾のＡ，Ｂを省略する場合がある。
【００１８】
前記第１、２の載置枠３Ａ、３Ｂは、例えばパイプ材を用いて略矩形状に形成した周囲枠２１と、この周囲枠２１の本例では中央部に固着されかつベッド中心線Ｘ方向にのびる下開放の溝型材からなる補強材２１ａと、周囲枠２１が囲む空所に配された格子状をなす下張り用のネット材２２とを含むものが例示される。これにより各載置枠３Ａ、３Ｂは、マットの半分である各寝具２Ａ、２Ｂをそれぞれ載置できる。
【００１９】
また前記周囲枠２１には、ベッド中心線Ｘを挟んで両側面をなす側枠部２１ｂの前記各一端Ｓ１側に、それぞれ第１、２の支脚部４Ａ，４Ｂが枢着されている。また周囲枠２１の各一端Ｓ１をなす後枠部２１ｃには宮状枠２１ｄを立ち上げている。
【００２０】
第１，２の支脚部４Ａ，４Ｂは、本例ではそれぞれ図１、図３に示すように、Ｌ字状をなす左右（ベッド中心線Ｘを挟んだ両側を左右と呼ぶことがある）のＬ字枠２４と、ベッド幅方向にのびこの左右のＬ字枠２４を連結固着する継ぎ材２３と、該継ぎ材２３に固着された補助脚２５とを含んで構成されたものを例示している。前記Ｌ字枠２４は、例えば垂直にのびる支柱部２４ａと、その下端で一端Ｓ１側に折れ曲がってのびかつ先端に接地するキャスタＣ１を設けた延長部２４ｂとで構成されている。また補助脚２５は、本例では継ぎ材２３の長さのほぼ中間位置に固着されかつ他端Ｓ２側に小長さで折れ曲るＬ字状の補助片２５と、その先端部に設けられた接地可能なキャスタＣ２とを具えている。
【００２１】
またＬ字枠２４の各支柱部２４ａには、図４に示すように、取付金具２８が固着されている。該取付金具２８は、支柱部２４ａの外側面で取り付く上の取付部２６と、内側面で取り付く下の取付部２７とを含む。上の取付部２６、下の取付部２７はそれぞれ側面視が略三角状をなし、前記一端Ｓ１側に突出している。ただし、このような形状に限定する趣旨ではない。そして、上の取付部２６と、周囲枠２１の左右の側枠部２１ｂの内周面とを枢結ピンＰｓを用いて傾動可能に枢着している。なお下の取付部２７には、透孔３７ａが形成されており、詳細については後述する。
【００２２】
また図５に示すように、第１、２の載置枠３Ａ、３Ｂの前記他端Ｓ２側には、前記側枠部２１ｂを延長し、該載置枠３の他端Ｓ２側を通る前枠部２１ｅよりも突出する突出部２１ｆを形成している。この各載置枠４の突出部２１ｆ，２１ｆは、間隙を隔てて向き合う。本実施形態の継ぎ部材８は、向き合う突出部２１ｆ、２１ｆを枢着する左右両側の連結金具２９、２９と、該連結金具２９，２９間を継ぐ結合板３０とを含む。なおこの結合板３０には、下方に垂下し展開時に床面に接地しうる中間支脚部７が固着されたものを例示している。
【００２３】
本実施形態の中間支脚部７は、図１に示すように、両側に配された支柱部３２，３２と、この間を中央で上に凸で湾曲する隆起部３３を有して継ぐ脚台枠部３４とで構成されている。なお隆起部３３は、床面から中間支脚部７の高さの１／３〜２／３倍程度の高さに位置するものが例示されている。
【００２４】
前記連結金具２９は、図５に示したように、底片２９ａと、その両側の側片２９ｂ、２９ｂとを有して上解放に形成されている。底片２９ａには、前後端を切欠き、該突出部２１ｆ，２１ｆを垂直に下に折り曲げるための切欠き部２９ａ１を前後端に形成している。なお連結金具２９は、例えばカバー３５によって上面が覆われることにより見栄えと安全性とを向上しうる。なお図５では、突出部２１ｆを枢着するピンを図示省略している。
【００２５】
さらに本実施形態では、中間支脚部７の支柱部３２の上方（例えば、床面から該中間支脚部７の高さの１／２〜３／４程度の高さ）に取付金具３６を固着している。該取付金具３６は、本例では支柱部３２の内面に溶着されかつ前後にのびる板状をなす。またこの取付金具３６には、第１、第２のベッド枠側それぞれに透孔３７ｂ、３７ｂが形成される。透孔３７ｂ、３７ｂは、ベッド１の展開状態において、前記第１、２の支脚部４Ａ、４Ｂに設けた下の取付部２７（図４）の透孔３７ａと同高さに設けられる。また前記各透孔３７ａ、３７ｂは、それぞれベッド１の展開状態において、載置枠３と支脚部４との枢支点、及び載置枠３と連結金具２９との枢支点のそれぞれ垂直面（前記中心線Ｘと直交する）内の直下に設けられる。
【００２６】
また透孔３７ａと透孔３７ｂとの間は夫々、第１、第２のリンク片１９Ａ、１９Ｂにより連結される。すなわち、本実施形態では、第１のベッド枠５Ａに第１のリンク片１９Ａを設けるとともに、第２のベッド枠５Ｂに第２のリンク片１９Ｂを設けている。このため、図６、図７に示すように、第１，２の載置枠３Ａ，３Ｂの両方において、支脚部４と、載置枠３と、前記中間支脚部７と、リンク片１９とで平行クランク機構を形成している。これにより、中間支脚部７、支脚部４の支柱部２４ａの向きを一定、例えば垂直に保持しつつ垂直状態まで折畳みできる。
【００２７】
なお、図１０に示すように、第１、第２の載置枠３Ａ又は３Ｂの一方の載置枠にのみにこのような平行クランク機構を設けることもできる。この場合、他方の載置枠については、例えば図２２に示した第１の載置枠ｃ１，第２の支脚部ｄ１の構造を採用することができる。
【００２８】
前記引き起こし手段９は、図１に略示するように、本実施形態では第１、第２のベッド枠体５Ａ、５Ｂにともに設けられたものが例示される。本例の引き起し手段９は、それぞれ第１の載置枠３Ａ又は第２の載置枠３Ｂに、中間支脚部７から前記一端Ｓ１側に離れた位置に設けられた滑車１１と、この滑車１１でガイドされる引張部材１２とで構成されたものを例示している。
【００２９】
前記滑車１１は、例えば図８（Ａ）に示すように、前記載置枠３に設けられた補強材２１ａの下面に固定された軸受け金具４０で枢支される。なお滑車１１は、ベッド１の側面から視認され難い高さ位置に設けられる。また引張部材１２は、図３に示すように、本実施形態では、中間支脚部７に取付けられかつ前記滑車１１に案内されるひも状体１３と、このひも状体１３を引っ張るコイルバネ（ゴム体など他の弾性材も利用できる）などの弾性材１４とからなるものが例示される。
【００３０】
前記ひも状体１３は、中間支脚部７の前記隆起部３３に一端が固定されかつ前記滑車１１の上面に巻掛されるとともに、このひも状体１３の他端には、本例ではコイルバネからなる弾性材１４の一端が連結されている。なお引張部材１２の端部（この例では弾性材１４の他端）は載置枠３の適所に固定される。
【００３１】
また本形態では、ひも状体１３は、図９に示すように、前記隆起部３３を貫通してその上下でナット止めされるアイボルト状の取付け金具１５で固定ボルト１６により固定される。なおひも状体１３は、種々の方法により取り付けでき、かつ引張部材１２を第１，２の載置枠３Ａ，３Ｂに渡して設けるときは、ルーズ（アイボルトに通すのみで該アイボルトに固着しないこと）とすることもできる。又ひも状体１３を、前記取付け金具１５の孔を通して１周巻きすることによって固定することもできる。
【００３２】
なお滑車１１は、前記ひも状体１３の一端を、前記隆起部３３に取付けることにより該ひも状体１２の垂直に対してなす角度θ（図３に示す）が、展開状態において、ベッド側面視で３０〜６０゜、好ましくは４０〜５５゜程度、本形態では約４５゜となるように位置決めされている。またひも状体１３は前記滑車１１を後方に過ぎた位置で前記弾性材１４と結合される。また前記ひも状体１３及び弾性材１４は図８（Ｂ）に示すように補強材２１ａの溝部内を通ることにより、外部からの目隠し、見映えを高めるのに役立つ。このような引き起こし手段９は、ベッド１の折畳みが進むにつれて、垂直状態への付勢力が増加するため、軽微な力で折り畳むことができる。
【００３３】
また、このような引き起こし手段９は、第１、第２の載置枠３Ａ、３Ｂの双方に設ける場合の他、図１０に略示したように一方にのみ設けることもできる。また、第１、第２の載置枠３Ａ，３Ｂの一方のみが平行クランク機構をなす場合には、その機構を有する側に引き起こし手段９を配置する。
【００３４】
次に、本実施形態の係止具１０は、例えば図１、図５、図１１などに示すように、中間支脚部７の支柱部３２に該支柱部３２を貫通して設けられかつ前記リンク片１９側に向かって付勢された係止ピン５０と、前記リンク片１９Ａ、１９Ｂに設けられかつ前記展開状態で前記係止ピン５０が嵌入する第１の孔部５１Ａ、５１Ｂとを含むものが例示される。このような係止具１０は、リンク片１９と前記中間支脚部７との傾動を拘束する。すなわち、前記平行クランク機構を構成する一つの対偶をなす本例ではリンク片１９と中間支脚部７とを傾動不能に拘束するものを例示する。
【００３５】
前記係止ピン５０は、例えば図５、図１１に示すように、付勢装置５１を介して前記中間支脚部７の支柱部３２に取り付けられる。前記係止ピン５０は、例えば図１２に分解して示すように、第１の孔部５１Ａ、５１Ｂに嵌入する先端を丸めたピン本体５０ａと、このピン本体５０ａの後端側に連設されかつ外径を減じた段付き状の小径部５０ｂと、この小径部５０ｂの後端側に連設されたネジ軸部５０ｃとを一体に具えて構成されている。
【００３６】
また前記付勢装置５１は、中間支脚部７の支柱部３２の外側面に例えば溶着により固着される取付筒部５３と、この取付筒部５３に螺着しうるネジ部５３ｃを一端に設けたピンホルダ５５とを具える。前記取付筒部５３は、係止ピン５０のピン本体５０ａがスライド自在に通過しうる内径を有しかつネジ溝を設けた内孔５３ａを有している。なお図１１に示すように、前記支柱部３２にも、この内孔５３ａと同芯かつ係止ピン５０が挿通しうる透孔５４ａ、５４ｂが形成されている。また前記支柱部３２に固着された前記連結金具３６にも、前記内孔５３ａと同芯かつ係止ピン５０が挿通しうる透孔３６ａが形成されている。
【００３７】
前記ピンホルダ５５は、筒状の外周面の中間部に、スパナ等を嵌め込み手締め可能な本例では略四角形の角胴部５５ａを有しその両側にフランジ部５５ｂを形成している。またピンホルダ５５には、内部に係止ピン５０を挿入可能な内孔５６が形成される。この内孔５６は、ピン本体５０ａがスライド可能な大径部５６ａと、その後端側に連設されかつ前記小径部５０ｂを小隙間でスライド可能に挿通しうるピン本体５０ａよりも小径の小径部５６ｂとを含む。そして、前記ピン本体５０ａの後端面と前記小径部５６ｂの前端面との間に圧縮状態でコイルバネ５２を介在させる。
【００３８】
前記ピンホルダ５５の後端側から突出した係止ピン５０のネジ軸部５０ｃには、本例では前記小径部５６ｂよりも大径の略円柱状をなすつまみ部５７が螺着される。これにより、係止ピン５０は、ピンホルダ５５内に抜け止めされて保持されるとともに、コイルバネ５２の復元力によって、ピン本体５０ａの先端を該ピンホルダ５５から突出する向きに付勢する。そして、突出した係止ピン５０の先端は、支柱部３２に設けた透孔５４ａ、５４ｂと、連結金具３６に設けた透孔３６ａとをそれぞれ貫通して、さらにベッド中心線Ｘ側へと突き出る。また、つまみ部５７を引くことによって、コイルバネ５２を押し縮め係止ピン５０をピンホルダ５５側へと引き込むことができる。なおつまみ部５７には、手指により掴むことで引張操作を容易化しうる例えばボールチェーンなどの引き出し具５９が付設されるのが好適である。
【００３９】
また前記リンク片１９Ａ、１９Ｂは、図１１、図１３に示すように、他端Ｓ２側の端部に、連結金具３６に枢着される透孔６１Ａ、６１Ｂがそれぞれ形成されており、この透孔６１Ａ、６１Ｂと、前記連結金具３６の透孔３７ｂとに同芯に合わせてワッシャなどを介しボルトピンＰ２、ナット６０により傾動自在に枢結される。なおリンク片１９の一端Ｓ１側は、図４のように、前記下の取付部２７の透孔３７ａに枢結される。またベッド１の展開状態において、リンク片１９Ａ、１９Ｂは、それぞれ透孔６１をさらに他端Ｓ２側へ超えてのびることにより同一面内では互いに衝合する長さを有している。このため、本形態では、各リンク片１９Ａ、１９Ｂをベッド巾方向の内外に位置ずれさせて前記枢結している。本例では、第２のリンク片１９Ｂを第１のリンク片１９Ａよりも外側に配置することにより傾動時の干渉を防止している（図１４）。
【００４０】
またリンク片１９は、その他端Ｓ２側の端部に、本例では略９０度の角度で水平から下方に亘って扇状に張り出した張出部６３を有する。そして、この張出部６３に、展開状態において前記係止ピン５０が嵌入しうる透孔６１とは別の第１の孔部５１Ａ、５１Ｂが夫々設けられる他、本例ではベッド１の垂直状態において前記係止ピン５０が嵌入しうる第２の孔部５２Ａ、５２Ｂが設けられたものを例示している。第２の孔部５２は、前記透孔６１の軸中心線Ｙ１を中心とし、該透孔６１の軸中心線Ｙ１と前記係止ピン５０の軸中心線ＹＣとの間の最短距離ｒを半径とする円弧線上で第１の孔部５１からほぼ９０度の位置に設けられている。なお各孔部５１、５２は、係止ピン５０の嵌入を円滑化するために、開口縁部にテーパ状の面取りなどを施すことが望ましい。
【００４１】
また本例では、外側に配した第２のリンク片１９Ｂの張出部６３の外側面は、ベッド１が垂直状態でもなくかつ展開状態でもない状態において、常に係止ピン５０の先端部と衝合することにより、本例では該係止ピン５０を押し縮めた状態で該係止ピン５０を第１の孔部５１又は第２の孔部５２に案内しうるピン押し縮め部６４として機能する。このピン押し縮め部６４は、具体的には外側に配された第２のリンク片１９Ｂの張出部６３の外側面かつ前記第１の孔部５１と第２の孔部５２との間を継ぐ前記透孔６１を中心とした円弧部分により構成される。これは係止ピン５０の移動軌跡に合致する。
【００４２】
このような係止具１０は、例えば図１３、図１４に示すように、垂直状態に近い位置から前記展開状態に向けて展開動作を行う場合、前記係止ピン５０は第２のリンク片１９Ｂのピン押し縮め部６４に衝合することにより押し縮められ、かつ該ピン押し縮め部６４と衝合しながら移動する。そして、第１の載置枠３Ａと第２の載置枠３Ｂとが展開状態に展開されると、図１５、図１６に示すように、前記係止ピン５０は、ピン押し縮め部６４から第２のリンク片１９Ｂに設けた第１の孔部５１Ｂに達し、第１のリンク片１９Ａの第１の孔部５１Ａとにともに嵌入する。
【００４３】
これにより、平行クランク機構のリンク片１９Ａ、１９Ｂと中間支脚部７とが展開状態で傾動不能に拘束されベッド１の展開状態が保持される。従って、偏荷重や中間支脚部７の近傍に上向きの外力が作用したときでもベッドが折畳み方向に変形するのを効果的に防ぐことができ、折畳みベッドの使い勝手を向上できる。また係止ピン５０は、展開状態になると同時に、人手を要することなく自ら作動して第１の孔部５１に嵌入するため、従来のようにピンを差し込みを忘れることがなく、確実に展開状態のロックをなしうる。
【００４４】
また、展開状態から垂直状態へと折り畳む際には、つまみ部５７を引っ張って係止ピン５０を第１、第２の各リンク片１９Ａ、１９Ｂの第１の孔部５１Ａ、５１Ｂから引き抜くとともに、この引き抜き状態で中間支脚部７の近傍に上向きの力を加える。これにより、係止ピン５０を、第１の孔部５１から抜き出して第２のリンク片１９Ｂピン押し縮め部６４に衝合させ得るため（図１４）、前記平行クランク機構の拘束を解くことができる。拘束が解かれた後は、つまみ部５７から手を離しても、ピン押し縮め部６４によって係止ピン５０を押し縮めた状態が維持される。従って、拘束を解除させる変形初期の僅かな間だけ、係止ピン５０を引き抜く動作を行えば良い。
【００４５】
そして、さらに上向きの力を加えていくことによって、係止ピン５０はピン押し縮め部６４で押し縮められつつ擦れながらピンＰ２を中心とした円弧移動を行う。そして、図１７、図１８に示すように、第１の載置枠３Ａと第２の載置枠３Ｂとが垂直状態に折り畳まれると同時に、係止ピン５０は、ピン押し部６４から第１、第２のリンク片１９Ａ、１９Ｂそれぞれに設けた第２の孔部５２Ａ、５２Ｂに達し、これらをともに貫通して嵌入する。これにより、前記同様、平行クランク機構のリンク片１９Ａ、１９Ｂと中間支脚部７とが垂直状態で拘束され、ベッド１の垂直状態が保持される。従って、ベッド１を折畳んでいる状態で不意に展開する誤作動を防止でき、さらに使い勝手を向上させ得る。
【００４６】
なお、再びベッド１を展開状態へと変形させるには、前記と同様に、係止ピン５０を引き抜いた状態で僅かに展開状態へと変形させれば良い。これにより、係止ピン５０は、第２の孔部５２Ａ、５２Ｂからピン押し縮め部６４に移動し、以後の引き抜き動作を不要にできる。そして、係止ピン５０は、展開状態において作動し再び自動的に第１の孔部５１Ａ、５１Ｂへと嵌入しうる。
【００４７】
上記実施形態では、リンク片１９の張出部６３を円弧状に形成しているが、これに限定されるわけではなく、展開状態と垂直状態との間で、係止ピン５０の先端部と当接し、第１の孔部５１、第２の孔部５２間で連続してピン押し縮め部６４として機能できる部分を含むものであれば、その形状は扇状に限定されず、種々の変形が可能である。また上記実施形態では、第１の孔部５１、第２の孔部５２をともに設けることによって、展開状態だけでなく垂直状態でも係止する態様を示したが、例えば引き起こし手段９の引き起こし力が強く、垂直状態からは容易に変形しないような場合には、第１の孔部５１だけを設けて展開状態だけを拘束するように構成しても良い。この場合、ピン押し縮め部６４は、ベッド１が展開状態以外のとき、常時係止ピン５０を押し縮めしうる。
【００４８】
また前記実施形態の係止具１０は、平行クランク機構を構成する一つの対偶（ペア）の傾動を拘束すれば足りるから、上記実施形態以外にも、例えば中間支脚部７と載置枠３との対偶、載置枠３と第１の支脚部４との対偶、又は第１の支脚部４とリンク片１９との対偶のいずれかを同様の係止具１０を設けて拘束することもできる。
【００４９】
また図１０に示したように、一方の載置枠３Ａだけに平行クランク機構を設けた態様においては、例えば図１９、図２０に示すように、該平行クランク機構を構成する一つのリンク片１９と中間支脚部７とを利用して同様に係止具１０を設けることができる。なお図１９，図２０において、前記実施形態と実質的に同一部分については同じ符号を付している。
【００５０】
また上記実施形態では、平行クランク機構を用いたベッドを例に挙げて説明したが、これに限定されるものではなく、例えば図２１に示すように、図２２に示したタイプの折畳みベッドにおいて、第２の載置枠ｃ２と、第２の支脚部ｄ２とを拘束する係止具１０を設けることもできる。この例では、第１の孔部５１と、第２の孔部５２と、ピン押し縮め部６４とを有する側板７０を第２の載置部２に取り付けるとともに、係止具１０を第２の支脚部ｄ２に設けている。また引き起こし手段９は、例示の形態に限定されるものではなく、また支脚部の構成なども種々変更することができる。また係止具についても、第１の載置枠３Ａと第２の載置枠３Ｂとを展開状態に展開することにより作動して該展開状態を保持させるものであれば、種々の構造のものを採用できる。
【００５１】
【発明の効果】
請求項１記載の発明では、第１の載置枠と第２の載置枠とを展開状態に展開することにより作動して該展開状態を保持する係止具を設けているため、偏荷重や折り畳む方向への外力が作用した場合であっても展開状態を保持でき、使い勝手を向上しうる。また従来のようなロック忘れなども防止し、係止を確実とする。また請求項５記載の発明のように、係止ピンは、展開状態に展開することによって人手を要することなく自ら作動して第１の孔部に嵌入するため、従来のようにピンを差し込む手間を解消しかつ差し込み忘れも防止できるなど、より確実に展開状態のロックを行うことができる。
【００５２】
また請求項２記載の発明のように、係止具は、第１の載置枠と第２の載置枠とを垂直状態に折り畳むことにより作動して該垂直状態を保持させることもできる。この場合には、折畳んだ状態から不意にベッドが展開されるのを防止できるため、より一層使い勝手を向上しうる。
【００５３】
また請求項４記載の発明のように、前記係止具は、折畳みベッドの平行クランク機構を構成する一つの対偶を傾動不能に拘束することによって、容易に展開状態を拘束できる。
【図面の簡単な説明】
【図１】本発明の一実施形態を例示するベッドの全体斜視図である。
【図２】その平面図である。
【図３】その側面図である。
【図４】載置枠３と支脚部４との取付け状態を例示する部分斜視図である。
【図５】載置枠と中間支脚部との枢着状態などを例示する部分斜視図である。
【図６】折畳み途中の状態を示すベッドの側面図である。
【図７】垂直状態のベッドの側面図である。
【図８】（ａ）は滑車の取付け状態を例示する断面図、（ｂ）は補強材を通る弾性材を例示する断面図である。
【図９】ひも状体の取付け状態を例示する断面図である。
【図１０】他のベッドの実施形態を例示する線図である。
【図１１】係止部の分解斜視図である。
【図１２】係止ピン、付勢装置の斜視図である。
【図１３】折畳みの途中の状態を例示する係止具付近の部分側面図である。
【図１４】その部分断面図である。
【図１５】展開状態を例示する係止具付近の部分側面図である。
【図１６】その部分断面図である。
【図１７】垂直状態を例示する係止具付近の部分側面図である。
【図１８】その部分断面図である。
【図１９】本発明の他の形態を示す係止具付近の部分側面図である。
【図２０】その断面図である。
【図２１】本発明の他の実施形態を示す部分斜視図である。
【図２２】従来の折畳みベッドの側面図である。
【図２３】その垂直状態を示す側面図である。
【図２４】展開状態でのロック機構を説明する部分斜視図である。
【図２５】垂直状態でのロック機構を説明する部分斜視図である。
【符号の説明】
１　折畳みベッド
２Ａ、２Ｂ　寝具
３　載置枠
３Ａ　第１の載置枠
３Ｂ　第２の載置枠
４　支脚部
４Ａ　第１の支脚部
４Ｂ　第２の支脚部
５Ａ　第１のベッド枠体
５Ｂ　第２のベッド枠体
７　中間支脚部
８　継ぎ部材
９　引き起こし手段
１０　係止具
１９　リンク片
【図１】
2004049640.tif 000003
【図２】
2004049640.tif 000004
【図３】
2004049640.tif 000005
【図４】
2004049640.tif 000006
【図５】
2004049640.tif 000007
【図６】
2004049640.tif 000008
【図７】
2004049640.tif 000009
【図８】
2004049640.tif 000010
【図９】
2004049640.tif 000011
【図１０】
2004049640.tif 000012
【図１１】
2004049640.tif 000013
【図１２】
2004049640.tif 000014
【図１３】
2004049640.tif 000015
【図１４】
2004049640.tif 000016
【図１５】
2004049640.tif 000017
【図１６】
2004049640.tif 000018
【図１７】
2004049640.tif 000019
【図１８】
2004049640.tif 000020
【図１９】
2004049640.tif 000021
【図２０】
2004049640.tif 000022
【図２１】
2004049640.tif 000023
【図２２】
2004049640.tif 000024
【図２３】
2004049640.tif 000025
【図２４】
2004049640.tif 000026
【図２５】
2004049640.tif 000027